【手続補正書】
【提出日】平成16年3月8日(2004.3.8)
【手続補正１】
【補正対象書類名】特許請求の範囲
【補正対象項目名】全文
【補正方法】変更
【補正の内容】
【特許請求の範囲】
【請求項１】
筐体部を有する本体を備えた装置であって、
前記装置の動作を制御する制御手段、および
キャリア信号を供給する信号供給手段、を備え、
前記本体および前記筐体部は、第一結合手段から第二結合手段への前記キャリア信号の結合が可能となるよう互いに近接するよう設けられた前記第一ならびに前記第二結合手段をそれぞれ有し、
前記筐体部は、データを記憶するメモリを有するデータ記憶装置を含んでおり、
前記第二結合手段と結合するキャリア信号から電源を取り出す電源取出手段、
前記電源取出手段による電源の取り出しに応じ、前記メモリからデータを読み出す制御手段、および
前記メモリから読み出したデータに基づき、前記キャリア信号を変調する変調手段、を備え、
前記本体は、変調されたキャリア信号からデータを抽出するデータ抽出手段、ならびに、ポータブル通信装置の動作に影響を与えるため、前記本体の前記制御手段に前記データを供給するデータ供給手段、を有すること、
を特徴とするもの。
【請求項２】
請求項１にかかる装置において、前記信号供給手段は、送受信器のキャリア信号生成器を有する無線周波数キャリア信号供給手段、を備えたこと、
を特徴とするもの。
【請求項３】
請求項１又は請求項２にかかる装置において、前記信号供給手段は、前記信号を周期的に変更する信号中断手段(signal interruting means)を含み、前記データ記憶装置は、前記の周期的な変更に基づき、前記データ記憶装置のためクロック信号を取り出すクロック信号取り出し手段、を有すること、
を特徴とするもの。
【請求項４】
前記いずれかの請求項にかかる装置であって、
前記筐体部は、取り外し可能であること、
前記筐体部は、取り外しできないこと、
前記本体は、モバイル電話通信ネットワークを介し、通信の送受信を可能にする送受信器を有すること、
前記第一および第二結合手段間の結合は、誘導的又は容量的であること、
前記装置は、電気装置であること、
前記装置は、ポータブル通信装置であること、
前記データ記憶装置は、前記電源取出手段による電源の取得に応じ、当該データ記憶装置のためにクロック信号を生成するクロック信号生成器、を有すること、
の少なくとも一つの特徴を有すること、
を特徴とするもの。
【請求項５】
前記いずれかの請求項にかかる装置において、前記メモリは、書込可能なメモリであり、前記信号供給手段は、前記メモリに書き込まれるデータに基づき、前記キャリア信号を変調するデータ供給手段を含み、前記データ記憶装置は、変調済みキャリア信号から前記データを取り出すとともに、取り出したデータを前記メモリ内に書き込む書込手段を有すること、
を特徴とするもの。
【請求項６】
請求項５にかかる装置において、前記制御手段は、ポータブル通信装置の使用に関する情報を得る使用情報取り込み手段を有するとともに、前記書込手段が前記メモリに前記使用データを書込み可能にするよう、前記使用データに基づき、前記キャリア信号を変調するよう動作可能であること、
を特徴とするもの。
【請求項７】
いずれかの請求項にかかる装置において、ユーザー操作手段は、前記筐体部と一体化(assocaite with)されていること、
を特徴とするもの。
【請求項８】
前記いずれかの請求項にかかる装置において、ユーザー操作手段は、前記筐体部に設けられており、前記データ記憶装置は、前記本体に対して前記ユーザー操作手段のユーザー操作に関するデータを供給するユーザー操作制御手段、を備えること、
を特徴とするもの。
【請求項９】
請求項８にかかる装置において、前記ユーザー操作制御手段は、多数の異なる方向のいずれかで用いられる前記装置のデイスプレイを構成するため、前記制御手段に対し、命令を供給するよう動作可能であること、
を特徴とするもの。
【請求項１０】
請求項７、請求項８、又は、請求項９にかかる装置において、前記ユーザー操作手段は、キーボード、キーパッド、タッチクスクリーン、ジョイステイック、デジタル化テーブル(digitizing table)あるいは他の入力装置、の少なくとも一つを備えること、
を特徴とするもの。
【請求項１１】
請求項７から請求項１０のいずれかにかかる装置において、さらに、ユーザー操作手段の構成が異なる形式を有する追加ユーザーインターフェース装置を備え、かかるユーザーインターフェース装置は、受動的制御装置、前記ユーザーインターフェース装置の結合手段が、前記装置の結合手段と結合すると、電源を取り出す電源取出手段、ならびに、前記ユーザーインターフェース装置が、前記装置と結合した場合、ユーザーによる前記ユーザー入力装置の操作に応じ、前記制御手段にユーザー入力データを供給するデータ供給手段、を備えること、
を特徴とするもの。
【請求項１２】
前記いずれかの請求項にかかる装置において、前記メモリに記憶された前記データは、前記制御手段が、前記筐体部を識別するのを可能とするデータを有しており、前記制御手段が、識別データを受信しない場合、あるいは、正しい識別データを受信しない場合、前記制御手段は、前記装置の少なくとも一の機能あるいは動作特性、を抑制するよう動作可能であること、
を特徴とするもの。
【請求項１３】
前記いずれかの請求項にかかる装置において、前記筐体部又は筐体部(the or a housing portion)は、方向センサを備え、前記データ記憶装置のデータ記憶装置制御手段は、それに基づき、前記制御手段にデイスプレイスクリーンの方向を制御させるため、前記方向センサからの方向信号に応じ、前記装置の方向に関するデータを前記制御手段とやりとりするよう動作可能であること、
を特徴とするもの。
【請求項１４】
前記いずれかの請求項にかかる装置において、前記筐体部は、前記装置のデイスプレイを有すること、
を特徴とするもの。
【請求項１５】
前記いずれかの請求項にかかる装置において、前記筐体部又は筐体部は、前記データ記憶装置に代え、又は、それに加え、例えば、温度、圧力、方向、位置、高さ、湿度、光、音、化学物質、液体、水、磁界、臭い、の少なくとも一つに反応する少なくとも一の環境センサを備えており、前記データ記憶装置は、前記装置の動作に影響を与えるため、前記センサの出力に関するデータを前記制御手段とやりとりするよう動作可能であること、
を特徴とするもの。
【請求項１６】
取り外し可能な筐体部を有する本体を備えたポータブル通信装置であって、
前記本体は、モバイル電話通信ネットワークを介し、通信の送受信を可能にする送受信器を有し、
前記装置の動作を制御する制御手段、および
無線周波数キャリア信号を供給する無線周波数信号供給手段、を備え、
前記筐体は、無線周波数信号影響手段を有し、前記本体は、前記ポータブル通信装置の動作に影響を与えるため、前記無線周波数信号影響手段の影響を検出する検出手段を有すること、
を特徴とするもの。
【請求項１７】
ポータブル通信装置であって、
モバイル電話通信ネットワークを介し、通信の送受信を可能にする送受信器、および、前記装置の動作を制御する制御手段、を備え、前記ポータブル通信装置は、当該ポータブル通信装置が、前記無線周波数信号に応答するデータ記憶装置を設けた物体(article)の近傍に位置する場合、前記データ記憶装置に、前記無線周波数信号から電源を取り出させるとともに、前記データ記憶装置により記憶されたデータに基づき、前記無線周波数信号を変調させる無線周波数信号供給手段を有し、前記ポータブル通信装置は、前記ポータブル通信装置の動作に影響を与えるため、前記変調済み無線周波数信号から前記データを抽出するデータ抽出手段を有すること、
を特徴とするもの。
【請求項１８】
本体および工具あるいは工具の一部の形態をとるアクセサリー、を備えた電気装置であって、
前記本体は、前記工具の動作を制御する制御手段、および、キャリア信号を供給する信号供給手段、を有し、
前記本体および前記工具は、当該工具が前記本体に取り付けられ又は近接する場合、第一結合手段から第二結合手段への前記キャリア信号の結合が可能となるよう互いに近接するよう設けられた前記第一ならびに前記第二結合手段をそれぞれ有し、
前記アクセサリーは、データを記憶したメモリを有するデータ記憶装置、前記第二結合手段と結合するキャリア信号から電源を取り出す電源取出手段、前記電源取出手段による電源取得に応じ、前記メモリからデータを読み出す制御手段、ならびに、前記メモリから読み出したデータに基づき、前記キャリア信号を変調する変調手段、を備え、前記本体は、前記変調されたキャリア信号からデータを抽出するデータ抽出手段、および、前記装置および前記アクセサリーの少なくとも一つの動作又は機能に影響を与えるため、前記本体の前記制御手段に前記データを供給するデータ供給手段、を有すること、
を特徴とするもの。
【請求項１９】
本体および工具あるいは工具の一部の形態をとるアクセサリーを備えた電気装置であって、
前記本体は、前記工具の動作を制御する制御手段、および、信号を供給する信号供給手段、を有し、
前記工具は、当該工具が前記本体の近傍又はそれに取り付けられた場合、前記信号供給手段により供給された信号に影響を与える部品、を有し、
前記本体の前記制御手段は、前記検出手段の前記検出に基づき、前記電気装置又は前記工具の動作又はその機能に影響を与えるよう構成されること、
を特徴とするもの。
【請求項２０】
ユーザーインターフェースを有する製品情報提供システムにおいて、
異なる製品は、前記データ記憶装置の近傍に位置するモバイル通信装置から無線周波数信号を受信したことに応じ、それに対応する受動的データ記憶装置であって、そのそれぞれが、前記モバイル通信装置に前記製品に関するデータ源又は当該受動的データ記憶装置に関連づけられた情報との通信をさせるもの、と関連づけられること、
を特徴とするもの。
【請求項２１】
請求項１８にかかる電気装置において、前記アクセサリーは、分離又は移動可能であり、前記制御手段は、当該アクセサリーが前記本体から離脱すると、前記装置の動作を抑制するよう動作可能であること、
を特徴とするもの。